(57)【要約】      （修正有）【課題】構造が簡単で、且つ、簡単に離脱パッドを外すことができる肩パッド付き衣服を提供する。【解決手段】衣服本体に固定された固定パッド１０と、その下に重ねられて取り外し可能に配置された離脱パッド２０とを備える。離脱パッド２０の色彩を、固定パッド１０の色彩と異なるものとする。離脱パッド２０は離脱用糸２５によって固定パッド１０に取り付けられ、離脱用糸２５を取り去ることで取り外すことができる。離脱用糸２５の色彩は、離脱パッド２０の色彩と相違するものとする。衣服本体の裏地は半裏仕立の裏地とし、その下端は、表地に対して固定されていない自由端部とすることによって、離脱用糸２５の取り外し作業の際に、肩パッドＰを簡単に露出させることができる。【選択図】図２
0003195099.tif 000002
【実用新案登録請求の範囲】
【請求項１】
衣服本体に固定された固定パッドと、前記固定パッドの下に重ねられて取り外し可能に配置された離脱パッドとを備えた肩パッドを、衣服の肩に備えた肩パッド付き衣服において、
前記離脱パッドの色彩が前記固定パッドの色彩と相違することを特徴とする肩パッド付き衣服。
【請求項２】
衣服本体に固定された固定パッドと、前記固定パッドの下に重ねられて取り外し可能に配置された離脱パッドとを備えた肩パッドを、衣服の肩に備えた肩パッド付き衣服において、
前記離脱パッドは離脱用糸によって前記衣服又は前記固定パッドに取り付けられ、前記離脱用糸を取り去ることで前記離脱パッドを取り外すことができるものであり、
前記離脱用糸の色彩が前記離脱パッドの色彩と相違することを特徴とする肩パッド付き衣服。
【請求項３】
衣服本体に固定された固定パッドと、前記固定パッドの下に重ねられて取り外し可能に配置された離脱パッドとを備えた肩パッドを、衣服の肩に備えた肩パッド付き衣服において、
前記衣服は、前記肩パッドが固定された表地と、前記表地の裏側に配置された裏地とを備え、
前記裏地は、前記衣服の着丈よりも短い半裏仕立の裏地であり、
前記裏地の下端は、前記表地に対して固定されていない自由端部を備え、前記自由端部から前記肩パッドを露出させることができるように構成したことを特徴とする肩パッド付き衣服。
【請求項４】
前記固定パッドは、少なくともアームホールに沿って前記衣服本体に固定され、
前記離脱パッドは、前記固定パッドに対して離脱用糸によって縫着されることによって、前記衣服本体に対して前記固定パッドを介して固定され、
前記離脱パッドは、アームホールの位置では、その前後少なくとも何れか一方の端部が前記固定パッドに固定されておらず、
前記自由端部から前記肩パッドを露出させた状態で、前記固定パッドに固定されていない前記端部が、前記固定パッドから浮き上がるように構成されたことを特徴とする請求項３記載の肩パッド付き衣服。
【請求項５】
前記固定パッドは、アームホールに沿った端辺のみが前記衣服本体に固定され、前記自由端部から前記肩パッドを露出させた状態で、前記固定パッドと前記衣服本体との間に手を差し込むことができるように構成されたことを特徴とする請求項３又は４記載の肩パッド付き衣服。
【考案の詳細な説明】
【技術分野】
【０００１】
本考案は、肩パッドを有する衣服に関するものである。
【背景技術】
【０００２】
一般に肩パッドは、衣服の肩回りのシルエットを整え、良好な外観と着用感を得ることを目的として、ブレザーや学生服など上着に広く使用されている。この肩パッドは成人用の衣服では取り外しを行わないことを前提に衣服本体に縫製固定されてい場合が多いが、デザインの自由度を向上させたり、成長過程にある学生用の衣服ではサイズアップに対応させたりするために、その一部を取り外しできるようにすることが提案されている（特許文献１〜６）。
【０００３】
これらの特許文献に記載の衣服では、肩パッドを、衣服本体に固定された固定パッドと、取り外し可能に配置された離脱パッドとから構成し、離脱パッドを外すことで肩パッドの厚み調整することができるようにしている。
例えば、特許文献２の第２の実施の形態（特許文献１の図５、図６）や、特許文献３〜６のものにあっては、固定パッドを袋状のポケットを備えたものとし、このポケットの内部に離脱パッドを着脱可能に挿入すること提案しているが、これらの肩パッドでは、構造が複雑化することを避けることができない。
【０００４】
特許文献１や特許文献２の第１の実施の形態（特許文献１の図１〜図４）にあっては、固定パッドの体内側に離脱パッドを重ねて取り付けることを提案しているが、特許文献１では複雑な構造で離脱パッドを着脱可能にしたものであり、特許文献２では裏地により構成されたポケットに固定パッド及び離脱パッドを配置するという複雑な構造を提案するものである。
【０００５】
このように、従来の提案では、何れの特許文献の衣服にあっても、ポケット状の部分に隠すように肩パッドを配置することで構造が複雑となったり、製造に手間と時間とを必要となったりするものであったりする。
【先行技術文献】
【特許文献】
【０００６】
【特許文献１】実開平２−９４２１４号公報
【特許文献２】特開２００５−２０６９８１号公報
【特許文献３】特開２００１−２８８６０７号公報
【特許文献４】実開平６−７３１１９号公報
【特許文献５】実開平６−４７３０９号公報
【特許文献６】実開平２−６９９２７号公報
【考案の概要】
【考案が解決しようとする課題】
【０００７】
本考案は、構造が簡単で、且つ、簡単に離脱パッドを外すことができる肩パッド付き衣服の提供を図ることを課題とする。
【課題を解決するための手段】
【０００８】
本考案は、衣服本体に固定された固定パッドと、前記固定パッドの下に重ねられて取り外し可能に配置された離脱パッドとを備えた肩パッドを、衣服の肩に備えた肩パッド付き衣服において、次の手段を施すことによって、上記の課題を解決する。
【０００９】
本願の第１の考案にあっては、前記離脱パッドの色彩を前記固定パッドと異なるようにすることで、前記固定パッドと前記離脱パッドとの区別を視覚上明らかにすることができる。従って、構造をいたずらに複雑化することなく、離脱パッドを外す作業を簡単に行うことができる。
【００１０】
本願の第２の考案にあっては、前記離脱パッドは離脱用糸によって前記衣服又は前記固定パッドに取り付けられ、前記離脱用糸を取り去ることで前記離脱パッドを取り外すことができるものであることに加えて、前記離脱用糸の色彩を前記離脱パッドの色彩と異なるようにすることで、前記離脱用糸と前記離脱パッドとの区別を視覚上明らかにすることができる。従って、構造をいたずらに複雑化することなく、離脱パッドを外す作業を簡単に行うことができる。
【００１１】
本願の第３の考案は、前記衣服は、前記肩パッドが固定された表地と、前記表地の裏側に配置された裏地とを備えたものであり、前記裏地を、前記衣服の着丈よりも短い半裏仕立の裏地により構成する。その際、前記裏地の下端は、前記表地に対して固定されていない自由端部を備えたものとする。これによって、前記自由端部から前記肩パッドが設けられた表地や裏地をひっくり返すなどして、肩パッドを外に露出させることができる。従って、構造をいたずらに複雑化することなく、離脱パッドを外す作業を簡単に行うことができる。
【考案の効果】
【００１２】
以上、本願の何れの考案にあっても、衣服本体に固定された固定パッドと、前記固定パッドの下に重ねられて取り外し可能に配置された離脱パッドとを備えた肩パッドを、衣服の肩に備えた肩パッド付き衣服において、構造をいたずらに複雑化することなく、離脱パッドを外す作業を簡単に行うことができるという共通の効果を発揮するものである。
【図面の簡単な説明】
【００１３】
【図１】本考案の実施の形態に係る衣服の斜視図。
【図２】（Ａ）同衣服の肩パッドの平面図、（Ｂ）同肩パッドから離脱パッドを取り外した状態の固定パッドの平面図。
【図３】（Ａ）同衣服の肩パッドの斜視図、（Ｂ）同肩パッドの固定パッドから離脱パッドを取り外した状態の斜視図。
【図４】同衣服の正面図。
【図５】同衣服の裏地を捲り上げて肩パッドＰを引き出し状態の斜視図。
【考案を実施するための形態】
【００１４】
以下、図面に基づき本考案の実施の形態を説明する。
（概要）
この実施の形態の衣服本体３０は、ブレザーやスーツ等の上衣で、両肩に肩パッドＰを備える。
肩パッドＰは、図１及び図２に示すように、固定パッド１０と離脱パッド２０とを備える。
【００１５】
固定パッド１０は、上着本体３０の肩の前身頃３２と後身頃３３とに渡って固定されている。この固定は、常法に従って行うことができるが、その先端縁のみを取付部１４にてアームホール３６に沿って上着本体の表地に縫着することが望ましい。
【００１６】
離脱パッド２０は、固定パッド１０の下に重ねられている。本考案において、部材が重ねられている関係を示す際に、「下」は、上着本体３０の着用状態において、着用者の身体に近い側を言い、「上」は、上着本体３０の着用状態において、着用者の身体に遠い側を言う。従って、上着本体３０の肩部にあっては、肩パッドＰは、上着本体３０の表地３１と裏地４１との間に配置されるが、裏地４１が最も下に位置し、表地３１が最も上に位置し、中間に肩パッドＰが配置されることになる。そして、固定パッド１０は表地３１の下に重ねられて固定され、離脱パッド２０は固定パッド１０の下に重ねられて固定されている。そして、その下に、裏地４１が被せられることになる。
【００１７】
（固定パッドについて）
固定パッド１０は、図３に示すように、最上層１１と、最下層１２との間に複数層の中間層１３が配置されている。これらの各層は、不織布で形成することができ、融着によって互いに固定され、分離させることが予定されていない一体の部材として、構成されている。なお、不織布以外の素材を用いることも可能であり、素材の種類に応じて、縫製などの適宜の固定手段で各層を固定することができる。
【００１８】
各層の形状などは、肩パッドＰの常法に従い種々変更して実施することができるが、最上層１１を最も大きく形成し、それより一回り小さく最下層１２を形成することができる。中間層１３は、最上層１１及び最下層１２よりも小さく形成することができ、最上層１１と最下層１２との間に挟んで固定配置することができる。
【００１９】
この固定パッド１０は、アームホール３６に沿うアーム側端辺１５のみにて、上着本体３０の表地３１に対して固定用糸１６によって縫着固定されている。但し、固定パッド１０の全体を表地３１に縫着することも可能であるが、アーム側端辺１５のみにて縫着する方が、離脱パッド２０の取り外し作業では有利である。
【００２０】
（離脱パッドについて）
離脱パッド２０は、図３に示すように、最上層２１と、最下層２２との間に複数層の中間層２３が配置されている。これらの各層は、不織布で形成することができ、融着によって互いに固定され、分離させることが予定されていない一体の部材として、構成されている。なお、不織布以外の素材を用いることも可能であり、素材の種類に応じて、縫製などの適宜の固定手段で各層を固定することができる。
【００２１】
各層の形状などは、肩パッドＰの常法に従い種々変更して実施することができるが、最上層２１を最も大きく形成し、それより一回り小さく最下層２２を形成することができる。中間層２３は、最上層２１及び最下層２２よりも小さく形成することができ、最上層２１と最下層２２との間に挟んで固定配置することができる。そして、最上層２１を、他の中間層２３及び最下層２２の不織布よりも薄い不織布によって構成することで、固定パッド１０に沿い易いものとすることができる。
【００２２】
（固定パッドと離脱パッドとの関係について）
この実施の形態では、離脱パッド２０は固定パッド１０よりも小さく形成されている。より詳しくは、固定パッド１０の最上層１１、固定パッド１０の最下層１２、離脱パッド２０の最上層２１、離脱パッド２０の最下層２２の順に小さくなっている（図２参照）。これによって、上着本体３０に取り付けた状態（詳しくは、後述する裏地４１の下端４２を捲って肩パッドＰを露出させた状態）では、上着本体３０の表地３１下に固定パッド１０が配置され、固定パッド１０の下に離脱パッド２０が配置された状態を、使用者が確認することができる。この場合、固定パッド１０と離脱パッド２０との色彩を異なるものとすることが適当である。特に、離脱パッド２０の外周を規定する層（図の場合には最上層２１）の色彩を、その外側に見える固定パッド１０の層（図の場合には最下層１２）の色彩と異なる色彩とすることが望ましい。
【００２３】
但し、離脱パッド２０を固定パッド１０よりも大きなものや、両者を同一大きさのものとして実施することも可能である。この場合には、固定パッド１０は離脱パッド２０に隠れて見えない場合が多いため、離脱パッド２０の少なくとも外周（図の場合では最上層２１）を上着本体３０（具体的には表地３１）と異なる色彩としておくことが適当である。
このように、異なる色彩の離脱パッド２０を用いることによって、離脱パッド２０の存在を、使用者に明らかにすることができ、離脱パッド２０を離脱させる作業を簡単に行うことができる。
【００２４】
（離脱用糸について）
離脱パッド２０は、固定パッド１０に対して、離脱用糸２５によって離脱可能に固定される。この離脱用糸２５は、縒りの弱い仕付け糸を用いることができるが、縒りの強い通常の縫製用の糸を用いることも、不用意に離脱パッド２０が離脱してしまうことを防止する観点からは望ましい。
【００２５】
離脱用糸２５による縫着位置は、離脱パッド２０の中央（図２の例では最上層２２の中央）で行うことが望ましい。具体的には、離脱パッド２０の周縁から、望ましくは5ｍｍ以上、より望ましくは10ｍｍ以上、内側に入った位置で縫着することが適当である。離脱用糸２５の縫い目の間隔は、鋏で切断し易いように、望ましくは5ｍｍ以上、より望ましくは10ｍｍ以上が、一つの縫い目の単位として、離脱パッド２０の表側（、図２では最下層２２の表側）に露出していることが適当である。
【００２６】
離脱用糸２５の色彩は、これが縫着される離脱パッド２０（図の場合では最下層２２）の色彩と異なる色彩としておくことが適当である。
このように、異なる色彩の離脱用糸２５を用いることによって、離脱用糸２５の存在を、使用者に明らかにすることができ、離脱用糸２５を切断したり抜き取ったりして、離脱パッド２０を離脱させる作業を簡単に行うことができる。
【００２７】
離脱パッド２０は、固定パッド１０に対して離脱用糸２５で縫着されることによって、間接的に上着本体３０に固定される方が離脱パッド２０の離脱作業の点からは有利であるが、上着本体３０に直接固定することも可能である。
なお、上述のそれぞれの場合において、異なる色彩とは、使用者の視力（乗用車の運転免許が取得可能な視力）で一目見て（３秒以内の短時間で）区別が着く程度の差異があればよい。従って、系統色名が異なることは必しも要件ではなく、マンセル表色系における色相、彩度、明度の少なくとも１種のパラメータが異なることによって、上記の区別が可能であればよい。
【００２８】
（上着本体について）
上着本体３０は、常法に従って製作することができるが、図４に示すように、表地３１の下（着用者の体内側）に重ねられる裏地４１を、上着本体３０の着丈よりも短い半裏仕立の裏地とすることが望ましい。但し、総裏地として実施することも可能である。
【００２９】
裏地４１の下端４２は、表地３１に対して固定されていない自由端部となっている。但し、背中の中央を止め糸４４で固定しても良く、裏地４１を下端４２から捲って、内部の肩パッドＰを露出させることができる程度の開口を、裏地４１と表地３１との間に形成することができるものであれば良い。また、裏地４１は、背中の左右に連続するものであってもよいが、背中の中央付近で２分割されているものであってもよい。
【００３０】
この裏地４１は、常法に従い表地３１に適宜位置で縫着されるが、この例では、裏地４１の上辺の襟元４３で表地３１に対して縫着固定されると共に、アームホール３６では、肩先３４と脇下３５との２箇所で、固定されている。この固定は、直接表地３１と裏地４１とを縫着してもよいが、テープや止め糸を介して固定するものであってもよい。図の場合は、肩先３４では止めテープ４５を介して固定され、脇下３５では直接縫着されている。
【００３１】
（離脱パッドの離脱作業について）
この実施の形態に係る上着は、固定パッド１０の下に離脱パッド２０を重ねて離脱用糸２５で縫着された状態で完成品とされて出荷される。使用者にあっては、そのまま着用することもできるが、好みの着用感と外観となるように、離脱パッド２０を離脱させて着用することもできる。特に、成長期にある学生用の衣服として使用される場合には、例えば、入学当初では少し大きめのサイズの上着を選択する傾向にあり、その際、固定パッド１０の下に離脱パッド２０を重ねた状態で着用することによって、肩落ちした状態を緩和することができる。そして、成長に伴い、肩が窮屈になってきた際に、離脱パッド２０を離脱させて着用することができる。
【００３２】
この離脱パッド２０の離脱作業は、一般家庭で簡単に行うことができるようにしておくことが望ましい。
本考案に係る衣服では、下記の方法によって、簡単にその作業を行うことができる。
【００３３】
まず、裏地４１の下端４２を捲ってアームホール３６付近を露出させる。その際、前述のように固定パッド１０はアーム側端辺１５のみにて表地３１に縫着されている。そのため、図５に示すように、固定パッド１０はアームホール３６の形状に従って、弧状に湾曲した状態となっている。他方、離脱パッド２０は、離脱用糸２５によって、その中央のみが固定パッド１０に対して固定されている。その結果、離脱パッド２０の周縁部（特に、アームホール３６の背中側に位置する端部２４）が固定パッド１０から浮き上がる。これによって、色彩の相違の有無に関わらず、固定パッド１０と離脱パッド２０との区別が容易となるが、前述のように、異なる色彩としておくことによって、固定パッド１０と離脱パッド２０との区別がより明確となると共に、離脱パッド２０の端部２４以外の箇所でも、固定パッド１０と離脱パッド２０との差異が一目瞭然となる。
なお、図５は、裏地４１が捲り上げられて肩パッドＰを引き出した状態を示したものであり、裏地表側４７は捲り上げられた裏地４１の表側、裏地裏側４８は同裏側を示し、腕部裏地４９は腕部の裏地を示す。
【００３４】
次に、離脱用糸２５を切断するなどして抜き取る。この作業は、鋏などで離脱用糸２５を切断すればよいが、その際に、離脱用糸２５の色彩を離脱パッド２０の色彩と異なるものとしておくことによって、簡単に離脱用糸２５を確認でき、誤った位置で切断する可能性を少なくすることができる。また、離脱用糸２５の色彩の相違を設けずに実施した場合にあっても、前述のように、離脱パッド２０の周縁部が固定パッド１０から自然と浮き上がっているため、離脱パッド２０と固定パッド１０との間の離脱用糸２５を容易に発見することができ、両者間の離脱用糸２５を切断することも可能である。
【００３５】
離脱用糸２５は、前述のように、仕付け縫いとしておくことで、離脱用糸２５を一箇所切断すれば、これを端緒に離脱用糸２５を引き抜くことができる。
また、固定パッド１０はアーム側端辺１５のみにて表地３１に縫着されているため、この作業において、固定パッド１０と表地３１との間に手先を差し込むことができる。これにより、表地３１の表側から手を回さなくても、肩パッドＰのみを直接持って上記の作業を行うことができるため、離脱作業をより簡単に行うことができる。
このように、本考案の衣服にあっては、その肩パッドＰの厚みを容易に変更することができ、特に、学生などの成長期の衣服に適するサイズアップ性を有するものである。
【符号の説明】
【００３６】
Ｐ  肩パッド
１０  固定パッド
１１  最上層
１２  最下層
１３  中間層
１４  取付部
１５  アーム側端辺
１６  固定用糸
２０  離脱パッド
２１  最上層
２２  最下層
２３  中間層
２４  端部
２５  離脱用糸
３０  上着本体
３１  表地
３２  前身頃
３３  後身頃
３４  肩先
３５  脇下
３６  アームホール
４１  裏地
４２  下端
４３  襟元
４４  止め糸
４５  止めテープ
４７  裏地表側
４８  裏地裏側
４９  腕部裏地
【図１】
0003195099.tif 000003
【図２】
0003195099.tif 000004
【図３】
0003195099.tif 000005
【図４】
0003195099.tif 000006
【図５】
0003195099.tif 000007